(57)【要約】【課題】媒体に記録された識別情報に基づいて識別情報の真偽を判別する。【解決手段】登録された識別情報リストを参照して受信した識別情報を照合し、正当な識別情報であると見なされたときには、管理用サーバ側が用意した特定にサービス（サービスコンテンツ）をユーザ（識別情報送信者）に提供し、それ以外は不正な識別情報であると見なして警告メッセージ表示などの警告処理を行い、ユーザにはサービス情報の提供を行わない。これによって、データ記録媒体を正規に購入した者のみが特定のサービスなどを享受することができる。【選択図】　　　　図９
2004110081.tif 000002
【特許請求の範囲】
【請求項１】
データ記録媒体に記録されたこのデータ記録媒体固有の識別情報を受信し、受信したこの識別情報と、登録された識別情報とを照合することで、受信した上記識別情報が正規なものであるかどうかを判別するようにしたことを特徴とする識別情報の判別方法。
【請求項２】
登録された識別情報リストを参照して受信した上記識別情報を照合し、
同一の識別情報が存在するときには不正識別情報の判別処理を行い、
正当な識別情報によるアクセスであるとみなされたときのみ、上記識別情報に基づく情報取得処理に移行することを特徴とする請求項１記載の識別情報の判別方法。
【請求項３】
上記不正識別情報の判別処理において、不正な識別情報によるアクセスであるとみなされたときには、警告用メッセージ又はサービス停止用のメッセージの送信処理を行うことを特徴とする請求項２記載の識別情報の判別方法。
【請求項４】
上記不正識別情報の判別処理では、プリプレスにより情報が予め記録されたデータ記録媒体に記録された記録済み用記録媒体の識別情報と、記録可能なデータ記録媒体に記録された記録可能用記録媒体の識別情報とを判別し、
両者が同時に存在するときには、不正な識別情報によるアクセスであると判断するようにしたことを特徴とする請求項２記載の識別情報の判別方法。
【請求項５】
上記不正識別情報の判別処理では、受信した識別情報がプリプレスにより情報が予め記録されたデータ記録媒体に記録された記録済み用記録媒体の識別情報のみであるときには、
該識別情報が正規なフォーマットによって構成されているかどうかを判別することを特徴とする請求項２記載の識別情報の判別方法。
【請求項６】
上記識別情報が正規なフォーマットによって構成されているときには、
上記識別情報が記録されたデータ記録媒体に特定の情報書き込みエリアが存在するかどうかを判別することを特徴とする請求項５記載の識別情報の判別方法。
【請求項７】
上記情報書き込みエリアは、プログラムメモリエリアであることを特徴とする請求項６記載の識別情報の判別方法。
【請求項８】
上記情報書き込みエリアの有無は、当該エリアに対する読み出し命令によって得られた情報によって判断することを特徴とする請求項６記載の識別情報の判別方法。
【請求項９】
上記読み出し命令に応じた情報を、上記データ記録媒体の再生処理を行う情報端末装置側に送信し、その受信した情報に基づいて上記情報書き込みエリアの有無を判別することを特徴とする請求項６記載の識別情報の判別方法。
【請求項１０】
受信した識別情報が、記録可能なデータ記録媒体に記録された登録済みの識別情報と異なるときには、上記識別情報を読み出したデータ記録媒体に対する特定の情報書き込みエリアの有無を確認することで上記識別情報の判別を行うようにした請求項２記載の識別情報の判別方法。
【請求項１１】
上記特定の情報書き込みエリアは、プログラムメモリエリアであることを特徴とする請求項１０記載の識別情報の判別方法。
【請求項１２】
上記情報書き込みエリアが存在しないときには、プリプレスによる記録済みのデータ記録媒体特有の信号を検出することによって、上記識別情報の判別を行うようにしたことを特徴とする請求項１０記載の識別情報の判別方法。
【請求項１３】
上記記録済みのデータ記録媒体特有の信号は、ウォーブル信号であることを特徴とする請求項１２記載の識別情報の判別方法。
【請求項１４】
上記ウォーブル信号に重畳された変調信号の有無によって、上記記録済みのデータ記録媒体を判別するようにしたことを特徴とする請求項１３記載の識別情報の判別方法。
【請求項１５】
上記ウォーブル信号の周波数成分を検出することで、上記記録済みのデータ記録媒体を判別するようにしたことを特徴とする請求項１３記載の識別情報の判別方法。
【請求項１６】
記録媒体固有の識別情報が記録されたデータ記録媒体を再生する側での識別情報の判別方法であって、
識別情報リストを保有するサイトよりこの識別情報リストを受信し、受信したこの識別情報リストに基づいて、上記データ記録媒体より読み出した識別情報との認証処理を行い、
読み出した識別情報が正当な識別情報であるとみなされたときには、上記サイトに上記識別情報に基づく情報の提供を受ける処理に遷移するようにしたことを特徴とする識別情報の判別方法。
【請求項１７】
上記認証処理は、読み出した上記識別情報が不正識別情報であるかどうかの認証処理であることを特徴とする請求項１６記載の識別情報の判別方法。
【請求項１８】
上記不正識別情報の判別処理において、読み出した上記識別情報が不正な識別情報であるとみなされたときには、警告用メッセージ又はサービス停止用のメッセージを表示することを特徴とする請求項１７記載の識別情報の判別方法。
【請求項１９】
上記不正識別情報の判別処理では、読み出した上記識別情報として、プリプレスにより情報が予め記録されたデータ記録媒体に記録された記録済み用記録媒体の識別情報と、記録可能なデータ記録媒体に記録された記録可能用記録媒体の識別情報とが同時に存在するときには、
上記読み出した識別情報は、不正な識別情報であると判断するようにしたことを特徴とする請求項１７記載の識別情報の判別方法。
【請求項２０】
上記不正識別情報の判別処理では、読み出した上記識別情報がプリプレスにより情報が予め記録されたデータ記録媒体に記録された記録済み用記録媒体の識別情報のみであるときには、
該識別情報が正規なフォーマットによって構成されているかどうかを判別することを特徴とする請求項１７記載の識別情報の判別方法。
【請求項２１】
上記識別情報が正規なフォーマットによって構成されているときには、
上記識別情報が記録されたデータ記録媒体に特定の情報書き込みエリアが存在するかどうかを判別することを特徴とする請求項２０記載の識別情報の判別方法。
【請求項２２】
上記情報書き込みエリアは、プログラムメモリエリアであることを特徴とする請求項２１記載の識別情報の判別方法。
【請求項２３】
上記情報書き込みエリアの有無は、当該エリアに対する読み出し命令によって得られた情報に基づいて判断することを特徴とする請求項２１記載の識別情報の判別方法。
【請求項２４】
受信した識別情報が、記録可能なデータ記録媒体に記録された登録済みの識別情報と異なるときには、上記識別情報を読み出したデータ記録媒体に対する特定の情報書き込みエリアの有無を確認することで上記識別情報の判別を行うようにした請求項１６記載の識別情報の判別方法。
【請求項２５】
上記特定の情報書き込みエリアは、プログラムメモリエリアであることを特徴とする請求項２４記載の識別情報の判別方法。
【請求項２６】
上記情報書き込みエリアが存在しないときには、プリプレスによる記録済みのデータ記録媒体特有の信号を検出することによって、上記識別情報の判別を行うようにしたことを特徴とする請求項２４記載の識別情報の判別方法。
【請求項２７】
上記記録済みのデータ記録媒体特有の信号は、ウォーブル信号であることを特徴とする請求項２６記載の識別情報の判別方法。
【請求項２８】
上記ウォーブル信号に重畳された変調信号の有無によって、上記記録済みのデータ記録媒体を判別するようにしたことを特徴とする請求項２７記載の識別情報の判別方法。
【請求項２９】
上記ウォーブル信号の周波数成分を検出することで、上記記録済みのデータ記録媒体を判別するようにしたことを特徴とする請求項２７記載の識別情報の判別方法。
【請求項３０】
記録媒体固有の識別情報が記録されたデータ記録媒体から情報を読み出す再生手段を有する情報端末装置と、サービス情報を蓄積し、上記識別情報に基づいたサービスを行う管理用サーバとが通信回線網を介して接続され、
上記情報端末装置側から送信された上記識別情報に基づくサービス情報を上記情報端末装置側に提供する情報サービス方法であって、
上記管理用サーバ側に登録された識別情報リストを参照して受信した上記識別情報を照合し、
同一の識別情報が存在するときには不正識別情報の判別処理を行い、
正当な識別情報によるアクセスであるとみなされたときのみ、上記サービス情報取得処理に移行することを特徴とする情報サービス方法。
【請求項３１】
上記管理用サーバ側での不正識別情報の判別処理において、不正な識別情報によるアクセスであるとみなされたときには、警告用メッセージ又はサービス停止用のメッセージを上記情報端末装置側に送信することを特徴とする請求項３０記載の情報サービス方法。
【請求項３２】
上記不正識別情報の判別処理では、受信した識別情報が、プリプレスにより情報が予め記録されたデータ記録媒体に記録された記録済み用記録媒体の識別情報か、記録可能なデータ記録媒体に記録された記録可能用記録媒体の識別情報かを判別し、
両者が同時に存在するときには、不正な識別情報によるアクセスであると判断するようにしたことを特徴とする請求項３０記載の情報サービス方法。
【請求項３３】
上記不正識別情報の判別処理において、受信した識別情報がプリプレスにより情報が予め記録されたデータ記録媒体に記録された記録済み用記録媒体の識別情報のみであるときには、
該識別情報が正規なフォーマットによって構成されているかどうかを判別することを特徴とする請求項３０記載の情報サービス方法。
【請求項３４】
上記識別情報が正規なフォーマットによって構成されているときには、
上記識別情報が記録されたデータ記録媒体に特定の情報書き込みエリアが存在するかどうかを判別するための読み出し命令を上記情報端末装置側に送信することを特徴とする請求項３３記載の情報サービス方法。
【請求項３５】
上記情報書き込みエリアは、プログラムメモリエリアであることを特徴とする請求項３４記載の情報サービス方法。
【請求項３６】
上記読み出し命令に応じた情報を、上記データ記録媒体の再生処理を行う情報端末装置側に送信し、その受信したエリア有無情報に基づいて上記情報書き込みエリアの有無を判別することを特徴とする請求項３５記載の情報サービス方法。
【請求項３７】
受信した識別情報が、記録可能なデータ記録媒体に記録された登録済みの識別情報と異なるときには、上記識別情報を読み出したデータ記録媒体に対する特定の情報書き込みエリアの有無を確認することで上記識別情報の判別を行うようにした請求項３０記載の情報サービス方法。
【請求項３８】
上記特定の情報書き込みエリアは、プログラムメモリエリアであることを特徴とする請求項３７記載の情報サービス方法。
【請求項３９】
上記情報書き込みエリアが存在しないときには、プリプレスによる記録済みのデータ記録媒体特有の信号を検出することによって、上記識別情報の判別を行うようにしたことを特徴とする請求項３７記載の情報サービス方法。
【請求項４０】
上記記録済みのデータ記録媒体特有の信号はウォーブル信号であることを特徴とする請求項３９記載の情報サービス方法。
【請求項４１】
上記ウォーブル信号に重畳された変調信号の有無によって、上記記録済みのデータ記録媒体を判別するようにしたことを特徴とする請求項４０記載の情報サービス方法。
【請求項４２】
上記ウォーブル信号の周波数成分を検出することで、上記記録済みのデータ記録媒体を判別するようにしたことを特徴とする請求項４０記載の情報サービス方法。
【請求項４３】
上記情報端末装置側で上記管理用サーバ側にストアされた識別情報リストを受信し、受信したこの識別情報リストに基づいて、データ記録媒体より読み出した識別情報との認証処理を行い、読み出した識別情報が正当な識別情報であるとみなされたときには、上記管理用サーバ側に対し上記サービス情報の提供を受ける処理を実行するようにしたことを特徴とする請求項３０記載の情報サービス方法。
【請求項４４】
上記認証処理は、読み出した上記識別情報が不正識別情報であるかどうかの認証処理であることを特徴とする請求項４３記載の情報サービス方法。
【請求項４５】
上記不正識別情報の判別処理において、読み出した上記識別情報が不正な識別情報であるとみなされたときには、警告用メッセージ又はサービス停止用のメッセージを表示することを特徴とする請求項４３記載の情報サービス方法。
【請求項４６】
上記不正識別情報の判別処理では、読み出した上記識別情報として、プリプレスにより情報が予め記録されたデータ記録媒体に記録された記録済み用記録媒体の識別情報と、記録可能なデータ記録媒体に記録された記録可能用記録媒体の識別情報とが同時に存在するときには、
上記読み出した識別情報は、不正な識別情報であると判断するようにしたことを特徴とする請求項４３記載の情報サービス方法。
【請求項４７】
上記不正識別情報の判別処理では、読み出した上記識別情報がプリプレスにより情報が予め記録されたデータ記録媒体に記録された記録済み用記録媒体の識別情報のみであるときには、
該識別情報が正規なフォーマットによって構成されているかどうかを判別することを特徴とする請求項４３記載の情報サービス方法。
【請求項４８】
上記識別情報が正規なフォーマットによって構成されているときには、
上記識別情報が記録されたデータ記録媒体に特定の情報書き込みエリアが存在するかどうかを判別することを特徴とする請求項４７記載の情報サービス方法。
【請求項４９】
上記情報書き込みエリアは、プログラムメモリエリアであることを特徴とする請求項４８記載の情報サービス方法。
【請求項５０】
受信した識別情報が、記録可能なデータ記録媒体に記録された登録済みの識別情報と異なるときには、上記識別情報を読み出したデータ記録媒体に対する特定の情報書き込みエリアの有無を確認することで上記識別情報の判別を行うようにした請求項４３記載の情報サービス方法。
【請求項５１】
上記特定の情報書き込みエリアは、プログラムメモリエリアであることを特徴とする請求項５０記載の情報サービス方法。
【請求項５２】
上記情報書き込みエリアが存在しないときには、プリプレスによる記録済みのデータ記録媒体特有の信号を検出することによって、上記識別情報の判別を行うようにしたことを特徴とする請求項５０記載の情報サービス方法。
【請求項５３】
上記記録済みのデータ記録媒体特有の信号は、ウォーブル信号であることを特徴とする請求項５２記載の情報サービス方法。
【請求項５４】
上記ウォーブル信号に重畳された変調信号の有無によって、上記記録済みのデータ記録媒体を判別するようにしたことを特徴とする請求項５３記載の情報サービス方法。
【請求項５５】
上記ウォーブル信号の周波数成分を検出することで、上記記録済みのデータ記録媒体を判別するようにしたことを特徴とする請求項５３記載の情報サービス方法。
【請求項５６】
データ記録媒体に記録された媒体固有の識別情報を用いて識別情報の管理用サーバ側に蓄積された情報を提供する情報サービスシステムであって、
通信回線網によって結ばれた識別情報再生装置と識別情報管理用サーバとを有し、
上記識別情報再生装置側では、データ記録媒体を再生して、このデータ記録媒体に記録された媒体固有の識別情報を保存すると共に、この識別情報を送信し、上記管理用サーバ側から提供されるサービス情報を受信できる送受信手段を有し、
上記識別情報管理用サーバ側では、提供すべき複数のサービス情報を蓄積したサービス情報用データベースと、管理用データベースを有し、
上記識別情報再生装置側では、上記データ記録媒体より識別情報を読み出し、読み出した識別情報を上記通信回線網を介して上記識別情報管理用サーバ側に送信し、
上記識別情報管理用サーバ側では、上記サービス情報を提供するにあたり、
登録された識別情報リストを参照して受信した上記識別情報を照合し、同一の識別情報が存在するときには不正識別情報の判別処理を行い、
正当な識別情報によるアクセスであるとみなされたときのみ、上記識別情報に基づく情報取得処理に移行することを特徴とする情報サービスシステム。
【請求項５７】
上記不正識別情報の判別処理において、不正な識別情報によるアクセスであるとみなされたときには、警告用メッセージ又はサービス停止用のメッセージの送信処理を行うことを特徴とする請求項５６記載の情報サービスシステム。
【請求項５８】
上記不正識別情報の判別処理では、受信した識別情報が、プリプレスにより情報が予め記録されたデータ記録媒体に記録された記録済み用記録媒体の識別情報か、記録可能なデータ記録媒体に記録された記録可能用記録媒体の識別情報か判別し、
両者が同時に存在するときには、不正な識別情報によるアクセスであると判断するようにしたことを特徴とする請求項５６記載の情報サービスシステム。
【請求項５９】
上記不正識別情報の判別処理では、受信した識別情報がプリプレスにより情報が予め記録されたデータ記録媒体に記録された記録済み用記録媒体の識別情報のみであるときには、
該識別情報が正規なフォーマットによって構成されているかどうかを判別することを特徴とする請求項５６記載の情報サービスシステム。
【請求項６０】
上記識別情報が正規なフォーマットによって構成されているときには、
上記識別情報が記録されたデータ記録媒体に特定の情報書き込みエリアが存在するかどうかを判別することを特徴とする請求項５９記載の情報サービスシステム。
【請求項６１】
上記情報書き込みエリアは、プログラムメモリエリアであることを特徴とする請求項６０記載の情報サービスシステム。
【請求項６２】
上記情報書き込みエリアの有無は、当該エリアに対する読み出し命令によって得られた情報によって判断することを特徴とする請求項６０記載の情報サービスシステム。
【請求項６３】
受信した識別情報が、記録可能なデータ記録媒体に記録された登録済みの識別情報と異なるときには、上記識別情報を読み出したデータ記録媒体に対する特定の情報書き込みエリアの有無を確認することで上記識別情報の判別を行うようにした請求項５６記載の情報サービスシステム。
【請求項６４】
上記特定の情報書き込みエリアは、プログラムメモリエリアであることを特徴とする請求項６３記載の情報サービス方法。
【請求項６５】
上記情報書き込みエリアが存在しないときには、プリプレスによる記録済みのデータ記録媒体特有の信号を検出することによって、上記識別情報の判別を行うようにしたことを特徴とする請求項６０記載の情報サービスシステム。
【請求項６６】
上記記録済みのデータ記録媒体特有の信号は、ウォーブル信号であることを特徴とする請求項６５記載の情報サービスシステム。
【請求項６７】
上記ウォーブル信号に重畳された変調信号の有無によって、上記記録済みのデータ記録媒体を判別するようにしたことを特徴とする請求項６６記載の情報サービスシステム。
【請求項６８】
上記ウォーブル信号の周波数成分を検出することで、上記記録済みのデータ記録媒体を判別するようにしたことを特徴とする請求項６６記載の情報サービスシステム。
【請求項６９】
上記情報端末装置側において、
上記管理用サーバ側より識別情報リストを受信し、受信したこの識別情報リストに基づいて、上記データ記録媒体より読み出した識別情報との認証処理を行い、
読み出した識別情報が正当な識別情報であるとみなされたときには、上記管理用サーバに上記識別情報に基づく情報の提供を受ける処理に遷移するようにしたことを特徴とする請求項５６記載の情報サービスシステム。
【請求項７０】
上記認証処理は、読み出した上記識別情報が不正識別情報であるかどうかの認証処理であることを特徴とする請求項５６記載の情報サービスシステム。
【請求項７１】
上記不正識別情報の判別処理において、読み出した上記識別情報が不正な識別情報であるとみなされたときには、警告用メッセージ又はサービス停止用のメッセージを表示することを特徴とする請求項５６記載の情報サービスシステム。
【請求項７２】
上記不正識別情報の判別処理では、読み出した上記識別情報として、プリプレスにより情報が予め記録されたデータ記録媒体に記録された記録済み用記録媒体の識別情報と、記録可能なデータ記録媒体に記録された記録可能用記録媒体の識別情報とが同時に存在するときには、
上記読み出した識別情報は、不正な識別情報であると判断するようにしたことを特徴とする請求項５６記載の情報サービスシステム。
【請求項７３】
上記不正識別情報の判別処理では、読み出した上記識別情報がプリプレスにより情報が予め記録されたデータ記録媒体に記録された記録済み用記録媒体の識別情報のみであるときには、
該識別情報が正規なフォーマットによって構成されているかどうかを判別することを特徴とする請求項５６記載の情報サービスシステム。
【請求項７４】
上記識別情報が正規なフォーマットによって構成されているときには、
上記識別情報が記録されたデータ記録媒体に特定の情報書き込みエリアが存在するかどうかを判別することを特徴とする請求項７３記載の情報サービスシステム。
【請求項７５】
上記情報書き込みエリアは、プログラムメモリエリアであることを特徴とする請求項７４記載の情報サービスシステム。
【請求項７６】
上記情報書き込みエリアの有無は、当該エリアに対する読み出し命令によって得られた情報に基づいて判断することを特徴とする請求項７３記載の情報サービスシステム。
【請求項７７】
受信した識別情報が、記録可能なデータ記録媒体に記録された登録済みの識別情報と異なるときには、上記識別情報を読み出したデータ記録媒体に対する特定の情報書き込みエリアの有無を確認することで上記識別情報の判別を行うようにした請求項５６記載の情報サービスシステム。
【請求項７８】
上記特定の情報書き込みエリアは、プログラムメモリエリアであることを特徴とする請求項７７記載の情報サービスシステム。
【請求項７９】
上記情報書き込みエリアが存在しないときには、プリプレスによる記録済みのデータ記録媒体特有の信号を検出することによって、上記識別情報の判別を行うようにしたことを特徴とする請求項７７記載の情報サービスシステム。
【請求項８０】
上記記録済みのデータ記録媒体特有の信号は、ウォーブル信号であることを特徴とする請求項７９記載の情報サービスシステム。
【請求項８１】
上記ウォーブル信号に重畳された変調信号の有無によって、上記記録済みのデータ記録媒体を判別するようにしたことを特徴とする請求項８０記載の情報サービスシステム。
【請求項８２】
上記ウォーブル信号の周波数成分を検出することで、上記記録済みのデータ記録媒体を判別するようにしたことを特徴とする請求項８０記載の情報サービスシステム。
【発明の詳細な説明】
【０００１】
【発明の属する技術分野】
この発明は、識別情報の判別方法、情報サービス方法および情報サービスシステムに関する。詳しくは、プリプレスにより情報が記録された記録済みデータ記録媒体や、ＣＤ−ＲやＣＤ−ＲＷのような情報を追記又は書き換えできる記録可能なデータ記録媒体に、記録されている記録媒体固有の識別情報に対し、識別情報管理サイドに記録し、あるいは記録した識別情報リストを参照して、その識別情報を認証することで、その正当性を判別するようにした識別情報の判別方法、情報サービス方法および情報サービスシステムを提案するものである。
【０００２】
【従来の技術】
コンパクトディスク（ＣＤ）や、デジタル多用途ディスク（ＤＶＤ）などのようなプリプレスにより予め所定の情報が記録されたディスク状のデータ記録媒体では、これら記録媒体に記録されたコンテンツが不正にコピーされないようにしてコンテンツなどの著作物を保護する対策が採られている。既にコンパクトディスクではコピープロテクションのかかったコンパクトディスクが販売されようとしている。
【０００３】
このような記録済みのデータ記録媒体の他に、ＣＤ−ＲやＣＤ−ＲＷのような追記型あるいは書き替え型のデータ記録媒体であっても、例えばこのデータ記録媒体に有料で特定のコンテンツ（音楽データなど）をダウンロードするケースが増えているので、この場合においてもこのデータ記録媒体からの不正なコピーを防止する必要がある。その対策案の１つとして、これら記録済みあるいは記録可能なデータ記録媒体に固有の識別情報を記録することが考えられている。
【０００４】
記録済みデータ記録媒体のときには、そのプログラムエリアに情報を記録した後で、媒体毎に異なる媒体固有の識別情報が特定のエリアに記録され、記録可能なデータ記録媒体のときには、工場出荷段階で特定のエリアに媒体固有の識別情報が記録される。特定のエリアとは、情報を読み出すことはできるが、書き込みができないエリアである。
【０００５】
【発明が解決しようとする課題】
ところで、記録済みのデータ記録媒体や記録可能なデータ記録媒体にそれぞれ媒体固有の識別情報を記録する場合にあっては、この識別情報を不正コピーを排除するための識別子として利用する他に、特定のサービス機関例えば特定のＷｅｂサイトに蓄積された特定のサービス情報（サービスコンテンツ）を取得するときの識別子としても利用することができる。
【０００６】
識別情報をこのような特別なサービスを取得するときの識別子としても利用しようとする場合、特定のサービス情報を取得できる条件を無条件に設定することも可能であるが、通常の場合には例えばデータ記録媒体を正規に購入した者に対してのみそのサービス情報を取得できる条件付きのサービスとすることが考えられる。
【０００７】
このように条件付きのサービス提供とした場合には、特定のサービス機関にアクセスしたときに使用した識別子、つまり識別情報が、正規に媒体を購入したその記録媒体に付与された識別情報であれば特に問題はないが、そうではなくて例えばデータ記録媒体から不正に情報をコピーしたときに取得した識別情報を利用しているようなことも考えられる。しかし、不正に取得した識別情報を用いてアクセスした者に対してまで特定のサービス情報を与えることは合理性を欠く。
【０００８】
そのためには、サービス情報をアクセスするのに使用したその識別情報が、正規に購入したデータ記録媒体に記録された識別情報であるか、不正コピーなどの手段によって取得した識別情報であるかを的確に判断し、その結果に応じて特定のサービス情報を提供するように工夫するのが得策である。これは著作物を保護する上からも好ましいことである。
【０００９】
データ記録媒体としては、上述した列挙例以外でも、ＤＶＤ−Ｒや、ＤＶＤ−ＲＷなどが考えられる。
【００１０】
そこで、この発明はこのような従来の課題を解決したものであって、データ記録媒体に記録された識別情報が正規なものかを判別し、正答者にのみ特定のサービス情報を提供できるようにした識別情報の判別方法、情報サービス方法および情報サービスシステムを提案するものである。
【００１１】
【課題を解決するための手段】
上述の課題を解決するため、請求項１に記載したこの発明に係る識別情報の判別方法では、データ記録媒体に記録されたこのデータ記録媒体固有の識別情報を受信し、受信したこの識別情報と、登録された識別情報とを照合することで、受信した上記識別情報が正規なものであるかどうかを判別するようにしたことを特徴とする。
【００１２】
請求項１６に記載されたこの発明に係る識別情報の判別方法は、記録媒体固有の識別情報が記録されたデータ記録媒体を再生する側での識別情報の判別方法であって、
識別情報リストを保有するサイトよりこの識別情報リストを受信し、受信したこの識別情報リストに基づいて、上記データ記録媒体より読み出した識別情報との認証処理を行い、
読み出した識別情報が正当な識別情報であるとみなされたときには、上記サイトに上記識別情報に基づく情報の提供を受ける処理に遷移するようにしたことを特徴とする。
【００１３】
請求項３０に記載されたこの発明に係る情報サービス方法は、記録媒体固有の識別情報が記録されたデータ記録媒体から情報を読み出す再生手段を有する情報端末装置と、サービス情報を蓄積し、上記識別情報に基づいたサービスを行う管理用サーバとが通信回線網を介して接続され、
上記情報端末装置側から送信された上記識別情報に基づくサービス情報を上記情報端末装置側に提供する情報サービス方法であって、
上記管理用サーバ側に登録された識別情報リストを参照して受信した上記識別情報を照合し、
同一の識別情報が存在するときには不正識別情報の判別処理を行い、
正当な識別情報によるアクセスであるとみなされたときのみ、上記サービス情報取得処理に移行することを特徴とする。
【００１４】
そして、請求項５６に記載されたこの発明に係る情報サービスシステムは、データ記録媒体に記録された媒体固有の識別情報を用いて識別情報の管理用サーバ側に蓄積された情報を提供する情報サービスシステムであって、
通信回線網によって結ばれた識別情報再生装置と識別情報管理用サーバとを有し、
上記識別情報再生装置側では、データ記録媒体を再生して、このデータ記録媒体に記録された媒体固有の識別情報を保存すると共に、この識別情報を送信し、上記管理用サーバ側から提供されるサービス情報を受信できる送受信手段を有し、
上記識別情報管理用サーバ側では、提供すべき複数のサービス情報を蓄積したサービス情報用データベースと、管理用データベースを有し、
上記識別情報再生装置側では、上記データ記録媒体より識別情報を読み出し、読み出した識別情報を上記通信回線網を介して上記識別情報管理用サーバ側に送信し、
上記識別情報管理用サーバ側では、上記サービス情報を提供するにあたり、
登録された識別情報リストを参照して受信した上記識別情報を照合し、同一の識別情報が存在するときには不正識別情報の判別処理を行い、
正当な識別情報によるアクセスであるとみなされたときのみ、上記識別情報に基づく情報取得処理に移行することを特徴とする。
【００１５】
この発明では、その媒体固有の識別情報が記録されたデータ記録媒体を対象とする。このデータ記録媒体には少なくとも媒体固有の識別情報（ＵＩＤ）が記録されるが、この識別情報ＵＩＤには記録媒体の種別を示す情報が含まれる。識別情報ＵＩＤにはさらにその記録媒体が享受できるサービス情報などの種類やサービス回数を示す情報などの付加情報（関連情報）を含ませることができる。識別情報ＵＩＤは、再生はできるが、再書き込みはできない特定のエリアに記録される。
【００１６】
上述したデータ記録媒体固有の識別情報ＵＩＤを利用して、サービス機関例えば識別情報の管理用サーバ（例えばＷｅｂサイト）をアクセスすることで、この管理用サーバに蓄積された各種のサービス情報を取得する。サービス情報とは、音楽、映像、ソフトなど各種ジャンルのコンテンツが含まれる。
【００１７】
サービス情報を取得するため、アクセスした識別情報ＵＩＤに関するユーザが、そのデータ記録媒体の正規購入者であるかどうかを確認し、正規購入者のみにそのサービス情報を提供するような情報サービスシステムを構築する。データ記録媒体の正規購入者かどうかはアクセス時に使用した識別情報ＵＩＤを利用する。
【００１８】
管理用サーバ側では、データ記録媒体製造元や媒体メーカから取り寄せた識別情報（識別情報のデータベース）を利用して識別情報の正当性を判別するか、アクセスされたその識別情報を逐一蓄積することでストアした識別情報のデータベースを利用して判別する。同一の識別情報が存在しないときはデータ記録媒体の正規購入者とみなして、サービス情報を提供する。
【００１９】
同一の識別情報が既に存在するときには、所定の判別処理を経て正規購入者と見なされた識別情報のユーザにのみ上述したサービス情報を提供する。所定の判別処理は、アクセスした識別情報を読み出したデータ記録媒体が、プリプレスにより情報が記録された記録済みのデータ記録媒体と、追記型のような記録可能なデータ記録媒体かどうかを判別しながら行われる。
【００２０】
データ記録媒体の判別処理に使用する情報としては、次のような情報が考えられる。第１に、アクセスに使用した情報端末装置のネットワークアドレス（ＩＰアドレスなど）を使用することである。ネットワークアドレスが同じである場合は、同じ情報端末装置を使用してアクセスされたものであるから、データ記録媒体の正規購入者と見なすことができる。同一の識別情報であっても、不正コピーなどによるデータ記録媒体を使用してアクセスする場合には、正規購入者と同じ情報端末装置を使用して管理用サーバ側にアクセスするとは考えられないからである。
【００２１】
第２に、アクセス時間間隔を判別情報に利用する考え方である。正規購入者の場合には、短い期間の間に再度管理用サーバをアクセスして例えば同じサービス情報を取得するとは通常考えられないからである。
【００２２】
第３に、ユーザの登録識別情報ＵＲＩＤを利用することである。このユーザ登録識別情報ＵＲＩＤは、ユーザ自身を識別するために設定された、媒体固有の識別情報ＵＩＤとは異なる情報であって、同じネットワークアドレスからの同じユーザ登録識別情報ＵＲＩＤであるときには、同一の識別情報ＵＩＤであったとしても、データ記録媒体の正規購入者からのアクセスであると考えられるからである。
【００２３】
第１から第３の判別情報を個別的に使用することもできれば、第１から第３の判別情報の２以上を任意に組み合わせて使用することもできれば、第１から第３の判別情報を全て使用することもできる。全てを使用する場合の方が正規購入者であるか否かをより正確に判断できる。
【００２４】
この他の判別処理としては、最終的に識別情報を読み出した記録媒体が記録済みデータ記録媒体（ＲＯＭ版）であるかどうかを、このデータ記録媒体に記録された固有の情報（具体的にはウォーブル信号や、リードインエリアに記録された媒体特有の識別信号など）を用いて識別することができる。
【００２５】
そのためにまず、記録可能なデータ記録媒体に不正にコピーされたときで、このデータ記録媒体を読み出すと、そのときの識別情報として記録可能なデータ記録媒体用の識別情報ＵＩＤｂが管理用サーバ側に送信されたときには、管理用サーバ側にこの記録可能なデータ記録媒体用識別情報ＵＩＤｂを予め備えておくことで、不正コピー媒体を排除できる。
【００２６】
識別情報ＵＩＤが記録可能なデータ記録媒体用識別情報ＵＩＤｂでないときには、プログラムメモリエリアＰＭＡの存在を確認し、プログラムメモリエリアＰＭＡが存在するときには、不正コピーされた記録可能なデータ記録媒体からの識別情報であると判断できる。
【００２７】
プログラムメモリエリアＰＭＡがないときには、その記録媒体に記録済みのデータ記録媒体固有の情報によって判別する。例えばウォーブル信号を利用する場合には、ウォーブル信号が存在するかどうかによってＲＯＭ版であるかどうかを判別する。これによって、記録可能なデータ記録媒体固有の識別情報ＵＩＤｂでもなく、プログラムメモリエリアＰＭＡもなく、ウォーブル信号も存在しないときには、それは不正コピーされたデータ記録媒体からの識別情報であると判断することで、確実に不正コピーされたデータ記録媒体からのアクセスを排除できる。
【００２８】
ウォーブル信号を判別するには、例えばウォーブル信号に重畳された特殊な信号（１，０の変調信号）の有無を検出するか、ウォーブル信号の周波数成分を検出する。特定の信号の有無あるいは周波数成分の有無によって、記録済みデータ記録媒体に記録されたウォーブル信号か否かを判別できる。
【００２９】
情報サービス方法は、上述した各種の判別処理を実行し、データ記録媒体の正規購入者のみに特定のサービス情報を提供する手法を提案するものであり、情報サービスシステムは、情報端末装置と管理用サーバ側とをインターネット、イントラネットなどの通信回線網を介して情報サービス網を構築するものであり、情報端末装置から送信されたデータ記録媒体固有の識別情報を上述した手法を用いて判別することで、特定のサービス情報をユーザに提供できるシステムを構築できる。
【００３０】
【発明の実施の形態】
続いて、この発明に係る識別情報の判別方法、情報サービス方法および情報サービスシステムの一実施形態を図面を参照して詳細に説明する。
【００３１】
図１は書き込み可能な記録媒体であるディスク状のデータ記録媒体１０の実施の形態を示す。この記録媒体１０は、主記録領域１４と、補助記録領域１６，１８とを有し、主記録領域１４は情報端末装置（図示はしない）より書き込みができる領域となされ、補助記録領域１６，１８は情報端末装置側より書き込みができない領域となされた書き込み可能なデータ記録媒体である。
【００３２】
補助記録領域１６，１８のうち最内周に属する領域１８には媒体情報などが記録され、主記録領域１４には本来のデータ（特定のコンテンツ）が記録される。
【００３３】
この書き込み可能な記録媒体としては、コンパクトディスクＣＤであれば追記型のＣＤ−Ｒ、書き換え型のＣＤ−ＲＷなどがその代表的な例である。デジタル多用途ディスクＤＶＤであれば、同じく追記型のＤＶＤ−Ｒ、書き換えができるＤＶＤ−ＲＷなどがその代表例である。
【００３４】
光ディスク１０はその基本的な構造は周知のように、最外周にリードアウトエリア１２が位置し、その内側にコンテンツ記録エリアであるプログラムエリア（ＰＡ）１４が存在する。このプログラムエリア１４が主記録領域に相当する。プログラムエリア１４の内周側にはＴＯＣ情報を記録するリードインエリア１６があり、さらにその内周にプログラムメモリエリア（ＰＭＡ）１８が設けられている。このリードインエリア１６およびプログラムメモリエリア１８が補助記録領域に相当する。
【００３５】
プログラムメモリエリア１８は周知のようにコンプリート処理あるいはファイナライズ処理をする前の仮のＴＯＣ情報が記録される。プログラムメモリエリア１８に仮ＴＯＣ情報を記録してある間は、プログラムエリア１４にコンテンツを書き込むことができる。しかし、コンプリート処理すべき操作が行われると、リードインエリア１６にＴＯＣ情報が書き込まれ、以後の書き込み（記録）処理はできない。
【００３６】
図２はプレス工程でデータが記録されている記録済みのデータ記録媒体としての光ディスクを示す。この光ディスク１０はデータが記録されている主記録領域であるプログラムエリア１４、その外周側にあるリードアウトエリア１２および内周側にあるリードインエリア１６で構成される。この記録済み記録媒体としてはＣＤ−ＲＯＭ，ＤＶＤ−ＲＯＭなどがその代表的な光ディスクである。
【００３７】
これら図１あるいは図２に示すデータ記録媒体１０に対して、媒体情報ＵＩＤが記録される。媒体情報ＵＩＤは特定の管理用サーバにアクセスしたとき、媒体の認証や、認証を行った後に管理用サーバに蓄積された情報（サービスコンテンツ）を取得するためのものである。データ記録媒体１０を正規に購入した人のために与えるサービスの一種として利用したり、記録可能なデータ記録媒体の場合には、媒体購入後に、これに記録すべきサービス情報をダウンロードするときにも利用することができる。記録可能なデータ記録媒体であっても、上述したサービス情報を取得するための情報として利用することができる。
【００３８】
図３は、データ記録媒体が記録済みの媒体か、記録可能な未記録媒体かを問わず、その媒体固有の媒体情報（ＵＩＤ）を記録する。媒体情報ＵＩＤは媒体固有の媒体識別情報の他に、その媒体に関連した関連情報を含ませることができ、図３の実施の形態は後者の例であって、さらに媒体の種別をも判別できる情報を含んだ場合である。
【００３９】
図３（ａ）は、プリプレスによって情報を記録した記録済みのデータ記録媒体ＰＰＤに記録される識別情報ＵＩＤａの具体例である。先頭に媒体の種別を示すヘッダ情報（ＰＰＤ用ヘッダ）と媒体固有の識別情報とで、媒体識別情報が構成される。ヘッダ情報と媒体固有の識別情報は共に所定桁数のシリアル番号が利用される。
【００４０】
この媒体識別情報で記録媒体そのものと、その種別を識別できるので、本来であればこの媒体識別情報で足りるが、この実施の形態ではさらに、このシリアル番号の次に付加情報が追加される。付加情報としては、提供を受けるべきサービス情報の種別（コンテンツの種類）、サービス回数、記録媒体に記録されている情報が暗号化されているようなときには、それを復号化するための鍵情報の要求などが考えられる。最後に誤り訂正のためのコード例えばＥＣＣ（Ｅｒｒｏｒ　Ｃｏｒｒｅｃｔｉｎｇ　Ｃｏｄｅ）が付加される。情報の配列順序は特に問わない。
【００４１】
このような識別情報ＵＩＤａは、リードインエリア、リードアウトエリアおよびプログラムエリアの何れかのエリアに記録される。これらの記録エリアは何れも再生はできるが、再書き込みはできないエリアであるからである。このようなエリアに識別情報ＵＩＤａを記録することで、識別情報の改ざんを防止することができる。この識別情報ＵＩＤａは本来のデータを記録した後の工程で例えば高出力レーザなどを用いて記録される。識別情報ＵＩＤａを記録する場合には、どのアドレスに記録したかを示す情報として、リードインエリアにＴＯＣ（Ｔａｂｌｅ　ｏｆ　Ｃｏｎｔｅｎｔｓ）情報の１つとして記録される。
【００４２】
図３（ｂ）は、追記型あるいは書き替え可能なデータ記録媒体に記録される識別情報ＵＩＤｂのフォーマットである。この場合も、媒体識別情報としてデータ記録媒体を示すヘッダ情報（Ｒ／ＲＷ用ヘッダ）と媒体固有の識別情報を有する。この媒体識別情報も所定桁数からなるデータ列として構成される。
【００４３】
媒体識別情報の他に付属情報が設けられる。付属情報は図３（ａ）と同じであって、さらにサービス形態として次のようなものが考えられる。データ記録媒体に記録すべきコンテンツを管理用サーバから取得し、取得したコンテンツをこのデータ記録媒体に記録するとき、どのようなジャンルのコンテンツ（音楽データ、映像データ、ソフトウエアのプログラムデータなど）をダウンロードするかその種別を示す情報がサービス形態の一種として付加することもできる。
【００４４】
このような識別情報ＵＩＤｂは、プログラムメモリエリアＰＭＡに記録される。このプログラムメモリエリアはデータの再生はできるが、再書き込みができないエリアだからである。プログラムメモリエリアに記録された識別情報ＵＩＤｂは、その記録媒体をコンプリート処理あるいはファイナライズ処理して、記録媒体に対する記録処理を終了するとき、リードインエリアにそのＴＯＣ（Ｔａｂｌｅ　ｏｆＣｏｎｔｅｎｔｓ）情報と共に、レーザを用いて記録される。ＴＯＣ情報はサブコード情報（詳しくはＱチャネル情報）の一部として書き込むことができる。
【００４５】
上述した識別情報ＵＩＤ（ＵＩＤａ、ＵＩＤｂ）は一例であって、識別情報に含まれる項目数、項目の内容、さらには管理用サーバ側に蓄積されたコンテンツの種類などは任意である。
【００４６】
データ記録媒体の再生時には、原則としてＴＯＣ情報を参照して複数の識別情報ＵＩＤが読み出される。読み出した識別情報ＵＩＤは保存され、そして必要なタイミングのときに通信回線網（インターネットなど）を介して、情報サービス機関であるこの例では識別情報の管理用サーバ（Ｗｅｂサイト）にアクセスされる。
【００４７】
読み出した識別情報ＵＩＤを送信することで、管理用サーバ側ではデータ記録媒体に記録されていた識別情報ＵＩＤの内容を判別して、対応するサービス情報がユーザ側に送信される。
【００４８】
管理用サーバ側には識別情報管理用データベースがあり、ここにはユーザ自身の識別情報であるパスワード（ユーザ登録識別情報ＵＲＩＤ）などが管理されると共に、アクセスされたデータ記録媒体ごとに識別情報ＵＩＤなどが管理情報として保存される。
【００４９】
さて、この発明にかかる情報サービスシステムは図４に示すように、サービスを受けるべき情報端末装置側２０と、サービスコンテンツを蓄積した識別情報管理用サーバ（Ｗｅｂサイト）３０とがインターネットなどの通信回線網４０を介して連結されて構築される。そして、情報端末装置２０側で読み出した識別情報ＵＩＤを管理用サーバ３０側に転送することで、その識別情報ＵＩＤが認証されれば、その情報を解析して管理用サーバ３０側に蓄積された対応するサービスを提供する。
【００５０】
情報端末装置２０は、ディスクの再生手段（記録再生手段でもよい）とデータの送受信手段がそれぞれ設けられ、データ記録媒体である光ディスク１０より本来のデータを読み出して再生することができると共に、光ディスク１０に記録された識別情報ＵＩＤを読み出し、読み出した識別情報ＵＩＤを用いて特定のサービスを受けるための装置である。従って、以下説明する光ディスク１０はＣＤ−ＲＯＭなどの記録済みのデータ記録媒体を例示する。
【００５１】
図５はこの情報端末装置２０の実施の形態を示すもので、上述したように光ディスク１０を再生するディスク再生手段として機能する識別情報再生装置５０を有する。この情報端末装置２０には装置全体の制御を司るＣＰＵからなる制御部２２を始めとして、各種データを記録し保存するための記憶手段、この例ではハードディスクからなる記憶手段２３と、外部とのデータ授受を行うデータ送受信手段（通信インタフェース）２４がバス２７に連結されている。さらに、ＬＣＤなどの表示部２５や、操作情報を入力するためのキーボードなどからなる入力手段２６がそれぞれバスを介して相互に連結されている。
【００５２】
この構成によって、光ディスク１０から識別情報を含めたデータの再生処理を始めとして、光ディスク１０から読み出した識別情報ＵＩＤを管理用サーバ３０側に送り、必要な情報を取得する外部とのデータ授受処理、さらには受信したデータの記憶処理などを実現している。制御部２２にはこれらの処理を実現するために必要な処理プログラムを格納したＲＯＭなどのメモリ手段（図示はしない）が内蔵されている。
【００５３】
図６は管理用サーバ３０側の実施の形態を示す。管理用サーバ３０はユーザからの識別情報ＵＩＤを認証し、認証されたとき指定されたサービスを提供できるように構成されると共に、媒体管理などを行うための処理を行っている。
【００５４】
そのため、図６に示すようにこの管理用サーバ３０は装置全体の制御を行うＣＰＵを有する制御部３１、サービスコンテンツを蓄積したデータベース３２、光ディスク固有の識別情報ＵＩＤや鍵情報などの各種管理情報を蓄積した管理用データベース３３が設けられる。これらの他に、外部とのデータ授受を行う送受信手段（通信インタフェース）３４、識別情報ＵＩＤなどの情報を表示するＬＣＤなどからなる表示部３５および情報入力などのときに使用するキーボードやマウスなどの入力手段３６などで構成される。制御部３１にはこれらの処理を実現するために必要な処理プログラムを格納したＲＯＭなどのメモリ手段（図示はしない）が内蔵されている。
【００５５】
図７はこの発明に係る識別情報再生装置５０の実施の形態を示す要部の系統図である。
【００５６】
制御部２２からの制御信号によってサーボコントローラ５２が制御されることで、スピンドルモータ５４が回転して、光ディスク１０は線速度が一定となされた状態で、光ディスク１０からの記録情報が光ピックアップユニット５５によって読み取られる。読み取られた光信号はユニット内部で電気信号に変換された状態でＲＦアンプ５６を介して復調器５７に供給されて、情報の復調（ＥＦＭ復調）が行われる。復調出力のうちプログラムエリア１４に記録されている情報はさらに後段のエラー訂正および復号化回路５８において、エラー訂正処理および復号化処理が行われる。その後、出力処理部５９を介して再生出力情報として出力されると共に、復号出力はさらに識別情報抽出手段６２にも供給され、復調出力のうち光ディスク１０に記録された識別情報ＵＩＤが抽出分離される。
【００５７】
一方、ＥＦＭ復調された復調出力はＴＯＣ情報の抽出手段である読み出し手段６０にも供給されてＴＯＣ情報の抽出分離が行われる。抽出分離されたＴＯＣ情報は制御部２２に供給されて、ＴＯＣ情報より識別情報の記録アドレスが抽出される。この記録アドレスを利用して抽出手段６２に供給された復調出力から識別情報ＵＩＤのみが抽出分離されて、これが一時的にメモリ手段（ＲＡＭ）６３に保存される。
【００５８】
入力手段２６からの入力情報に応じてメモリ手段６３の識別情報ＵＩＤが読み出され、読み出された識別情報ＵＩＤが送受信手段（送受信用インタフェース）２４（図５参照）を介して管理用サーバ３０側に送信される。
【００５９】
出力処理部５９には図示はしないが復号処理機能があるものとする。光ディスク１０に記録された情報が暗号化されているときには、管理用サーバ３０側より提供された鍵情報を用いて復号処理が行われる。鍵情報は復号キーそのものであったり、場合によってはこの鍵情報を用いて正規な復号キーを生成するための情報であったり、情報サービスシステムのセキュリティーに合わせた鍵情報が提供される。
【００６０】
なお、光ディスク１０に記録された本来のデータ（映像データなど）は出力処理部５９からバス２７を介して表示部２５に供給されて映像などが再現されると共に、必要に応じて外部に出力される。復調出力が音楽であるときは、図示はしないがその復調出力は音声再生回路に供給されて音声が再生される。
【００６１】
さて、図４に示すような情報サービスシステムを構築したときの各種処理例を図８以下を参照して説明する。図８はこの情報サービスシステム全体の処理を説明する概略図（フローチャート）である。
【００６２】
識別情報端末装置２０側では光ディスク１０を再生して識別情報ＵＩＤを取得する。この識別情報ＵＩＤはメモリ手段６３に保存される。識別情報ＵＩＤは同時に表示部２５に表示することもできれば、安全性を考慮して不知とすることもできる。
【００６３】
次に、ユーザが管理用サーバ３０へのアクセス処理を行う。このときユーザ認証を行う関係で、ユーザ側からは予め管理用サーバ３０との間で取り決めたパスワードＰＷなどを送信する。ユーザの認証が行われると、管理用サーバ３０側からはサーバ側が取り扱うメニュー情報（サービスメニュー）が送信され、ユーザ側ではこのサービスメニューが表示される。ユーザが識別情報ＵＩＤを使用したサブメニューを選択したときには、そのサブメニュー選択情報が管理用サーバ３０側に送信される。
【００６４】
管理用サーバ３０側では、受信した識別情報ＵＩＤが解析され、その解析内容に即した処理が実行される。その前提として、管理用サーバ３０側では受信した識別情報ＵＩＤが媒体種別情報と、管理用データベース３３に蓄積された媒体ごとの管理情報を利用して正規な識別情報であるかどうかの認証処理を行う。不正コピーされた記録媒体からのアクセスなどを排除するためである。この場合の媒体管理情報はディスク製造元やディスク販売業者から提供された媒体固有の管理情報（識別情報と同じ情報）を利用することもできれば、ユーザから提供された識別情報をその都度蓄積して識別情報用のデータベースを構築してもよい。特に記録媒体が書き込み可能な記録媒体であるときには、媒体提供者側で識別情報を記録することもあれば、情報端末装置２０側に用意された乱数器などから得たランダムな番号を識別情報として利用することも考えられるからである。
【００６５】
管理用サーバ３０側では受信した識別情報ＵＩＤが正規購入者が取得した識別情報であるかを判別する。判別処理は、管理用サーバ３０側の構成によって異なる。
【００６６】
正規購入者として認証されたときには、識別情報に則った情報がユーザ側に送信される。識別情報に則った情報とは、サービス情報の種別、サービス情報、鍵情報などである。ユーザがサービスコンテンツそのもの例えば音楽データであれば、曲目などを選択できるものとなっているときには、曲目情報などもユーザ側に提供される。
【００６７】
情報端末装置２０側では、受信した情報が鍵情報であるときには、この鍵情報をメモリ手段６３に保存して、この鍵情報を利用して光ディスク１０に記録された情報を復号する。記録された情報が音楽データであるときには、この鍵情報を利用して再生される。
【００６８】
情報端末装置２０側に装填された記録媒体が書き込み可能な記録媒体であるときには、受信した情報が記録媒体に記録すべき情報であるので、この場合には図１０に示す情報再生装置５０に代えて情報記録再生装置（図示はしない）を用意し、この情報記録再生装置を利用してダウンロードした情報を記録することになる。セキュリティーの関係でダウンロードした情報が暗号化されているときには、同時にこの情報を復号するための鍵情報を取得することになる。
【００６９】
なお、情報端末装置２０側からのアクセスを管理用サーバ３０側で管理することで、サービス回数を制限することもできる。
【００７０】
続いて、図９以下を参照してより詳細に処理手順を説明する。図９に示す実施の形態は、ユーザから提供された識別情報ＵＩＤを逐一蓄積することで識別情報のデータベース（識別情報用参照テーブル）を構築しながら、識別情報ＵＩＤの判別処理を実行するようにした例である。
【００７１】
説明の都合上、まず管理用サーバ３０側から図９を参照して説明する。まず識別情報ＵＩＤの取得待機状態のとき、ユーザ側からのアクセスがあり識別情報ＵＩＤを受信すると、受信したその識別情報ＵＩＤが先に説明した管理用データベース３３を参照して同一の識別情報ＵＩＤの存在を確認する（ステップ７１，７２）。
【００７２】
同一の識別情報ＵＩＤが存在しないときは、管理用サーバ３０に対する最初のアクセスと見なし、かつ最初のアクセスはデータ記録媒体の正規購入者からのアクセスであるものと見なして、サービスの提供処理を行う（ステップ７２，７４）。これは、例えば不正コピーを行った者が正規購入者よりも早く管理用サーバ３０側にアクセスするとは通常の場合考えられないからである。
【００７３】
ステップ７２において、参照の結果同一の識別情報ＵＩＤが既に存在するときには、その識別情報が正規購入者のものか、不正に取得したものかを判別する判別処理を行う（ステップ８０）。後述する判別処理の結果、例えば正規購入者であると判断されたときには正当フラグが立つようにすれば、正当フラグであるときには正当なアクセスと見なして（ステップ７３）、上述したようにサービスの提供処理を行う（ステップ７４）。
【００７４】
これに対して、正当フラグが立っていないとき、つまり判別処理の結果その識別情報ＵＩＤは不正に取得した疑いが強い場合には、不正フラグが立っているので、この場合には警告処理用メッセージあるいはサービス中止用のメッセージがユーザつまり情報端末装置２０側に送信される（ステップ７５）。警告処理用とは、不正に取得した疑いの強い識別情報ＵＩＤであると判断したため、例えば１回だけのサービスは許可するが、２回目以降のサービスは禁止する旨のメッセージである。また、サービス中止用のメッセージとは、不正取得した疑いの強い識別情報ＵＩＤであるので、この場合はサービスを全く許可しない旨のメッセージである。
【００７５】
これによって、識別情報ＵＩＤを判断すると共に、データ記録媒体の正規購入者のみに特定のサービスを提供する情報サービス方法を実現できる。
【００７６】
図１０は上述した不正識別情報の判別処理例を示すフローチャートであって、同一の識別情報ＵＩＤが存在するものと判断されたときには、まずその識別情報ＵＩＤがどの種類のデータ記録媒体に記録された識別情報かを判別する（ステップ８１）。つまり、記録済みデータ記録媒体に記録されたＰＰＤ用の識別情報ＵＩＤａか、記録可能なデータ記録媒体に記録されたＲ／ＲＷ用の識別情報ＵＩＤｂかを判断する。
【００７７】
管理用データベース３３に登録されている識別情報ＵＩＤがＰＰＤ用の識別情報ＵＩＤａであったときに、受信した識別情報ＵＩＤがＲ／ＲＷ用識別情報ＵＩＤｂであれば、これは記録可能なデータ記録媒体に不正にコピーされたものを使用していると判断できるからその場合には不正フラグを立てる（ステップ８５）。
【００７８】
登録されている識別情報ＵＩＤがＰＰＤ用識別情報ＵＩＤａであったときには、受信した識別情報ＵＩＤがこの識別情報ＵＩＤａと同じフォーマット（正規のフォーマット）に則ったデータ列を構築しているかどうかを判断し、そうでないときは例えば不正にコピーしたものを改ざんしたものと考えられるので、この場合も不正フラグを立てる（ステップ８２，８５）。
【００７９】
正規なフォーマットの識別情報ＵＩＤであるときは、受信した識別情報ＵＩＤが記録されている記録媒体がどの種別かを判断する（ステップ９０）。つまり、記録可能なデータ記録媒体に記録された識別情報ＵＩＤａであるかどうかを判断する。そのため、この実施の形態では記録可能なデータ記録媒体のみに存在するプログラムメモリエリアＰＭＡに注目する。
【００８０】
プログラムメモリエリアＰＭＡが存在するときは、記録可能なデータ記録媒体にコピーされた識別情報ＵＩＤａによってアクセスされたものと判断し、この場合には不正フラグを立てる処理を行う（ステップ８３，８５）。プログラムメモリエリアＰＭＡが存在しないときには正当フラグを立てて特定のサービスの提供を受けられるようにする（ステップ８３，８４）。
【００８１】
プログラムメモリエリアＰＭＡの存在を確認するには、情報端末装置２０側に装備された識別情報再生装置５０を例えば再生モードにして、プログラムメモリエリアＰＭＡからの情報を読み出す処理を行うことで実現できる。
【００８２】
そのため、情報端末装置２０側での処理としては図１１に示すような処理となる。管理用サーバ３０側からは特定エリアに対する再生処理が指示されるので、このＰＭＡエリアに対するリード指示の待機状態となり（ステップ９１）、リード指示があると、識別情報再生装置５０を再生モードにして、ＰＭＡエリアを再生し、再生情報が存在するときは、情報存在フラグを、再生情報が存在しないときには情報不存在フラグを管理用サーバ３０側に送信する（ステップ９２）。
【００８３】
その後、メッセージ受信の待機状態となり（ステップ９３）、受信した情報がメッセージでないときには、受信したサービス情報をメモリ手段６３に一時的に保存する処理を行う（ステップ９４）。受信した情報がメッセージであるときには、その旨の表示を表示部２５によって行う（ステップ９５）。その表示とは上述したように警告処理用のメッセージか、サービス中止のためのメッセージである。
【００８４】
図１０においては、ＰＭＡエリアが存在しないときには、ＰＰＤ用の記録媒体であると判断したが、積極的にＰＰＤ用であるかどうかの判別処理を行った上で、記録済みデータ記録媒体かどうかの判別を行って、正規な識別情報ＵＩＤを確認することもできる。
【００８５】
図１２はその一例を示すフローチャートである。図１０と重複するが、図１２を最初から説明すると、管理用データベース３３に登録されている識別情報ＵＩＤがＰＰＤ用の識別情報ＵＩＤａとＲ／ＲＷ用の識別情報ＵＩＤｂであったときに、受信した識別情報ＵＩＤがＲ／ＲＷ用識別情報ＵＩＤｂと同じフォーマットであれば、これは記録可能なデータ記録媒体に不正にコピーされたものを使用していると判断できるからその場合には不正フラグを立てる（ステップ１３２，１３３）。
【００８６】
ステップ１３２によって受信した識別情報ＵＩＤがＲ／ＲＷ用識別情報ＵＩＤｂではないときには、一応ＰＤＤ用の識別情報ＵＩＤａであると判断する。しかし、その識別情報ＵＩＤａが記録されているデータ記録媒体１０は全てＰＰＤ用のデータ記録媒体であるとは限らない。ＰＤＤ用の識別情報ＵＩＤａをコピーした記録可能なデータ記録媒体であることも考えられる。
【００８７】
そのためステップ１３２でＲ／ＲＷ用の識別情報ＵＩＤｂではないと判断された場合にも、次のステップ１３４でそのデータ記録媒体がＲ／ＲＷ用の記録媒体であるかどうかを判別する。この例ではＰＭＡエリアが存在するかどうかの確認処理を行う。
【００８８】
つまりＰＭＡエリア確認のための図１１に示すような送受信処理を行い、その結果ＰＭＡエリアからデータを読み出すことができたかどうかを確認する（ステップ１３５）。データを読み出すことができたときは、その記録媒体は記録可能なＲ／ＲＷ用データ記録媒体であるので、この場合にはステップ１３３で不正フラグを立てる処理を行う。この処理によって不正コピーされたＲ／ＲＷ用データ記録媒体を排除できる。
【００８９】
ステップ１３５においてＰＭＡエリアの存在が確認されなかったときには、次にＰＰＤ用データ記録媒体の有無を判別するため、ＲＯＭ版検出のための送受信処理を行う（ステップ１３６）。そのデータ記録媒体がＲＯＭ版か否か、つまり記録済みのデータ記録媒体であるかどうかは、例えばデータ記録媒体自身に設けられたウォーブル溝に対応したウォーブル信号の有無で判断する。
【００９０】
ウォーブル信号としては、例えば記録された暗号文を復号するための「１」、「０」のキー信号で所定のウォーブル信号を変調したものを利用できる。あるいはまたＲ／ＲＷ用データ記録媒体で採用されているウォーブル周波数とは異なるウォーブル周波数を用いてＣＤ−ＲＯＭ専用のウォーブル溝が形成されている場合には、このウォーブル信号そのものを利用して、検出された周波数成分によってＲＯＭ版か否かを判別することができる。このウォーブル信号の周波数やウォーブル周波数に含まれる特定の信号を検出することで、ＲＯＭ版か否かを判別できる。
【００９１】
そのため、ステップ１３６では、識別情報再生装置５０を再生モードにして、このウォーブル信号を検出する処理を指示する。特定のウォーブル信号が検出できなかったときは、それは何らかの不正処理をして識別情報ＵＩＤを記録したデータ記録媒体であると考えられるから、この場合にはステップ１３３に遷移して不正フラグ処理を行う。これに対して、ウォーブル信号を検出できたときは、正規に購入したデータ記録媒体（ＰＰＤ用データ記録媒体）からの再生識別情報であると判断して正当フラグを立てる処理を行う（ステップ１３８）。
【００９２】
図１２では記録済みのデータ記録媒体固有の信号としてウォーブル信号を利用したが、この他にも例えばリードインエリアに記録された媒体固有の識別信号などを利用することもできる。
【００９３】
このように図９から図１１までの処理、あるいは図９、図１１および図１２までの処理を行うことによって、特に管理用サーバ３０側のデータベース３３に蓄積された管理テーブルに記録済みデータ記録媒体を示す識別情報ＵＩＤａが登録されている場合で、この識別情報ＵＩＤａと同じ識別情報を受信したときには、それが正規のものかどうかを判断すると共に、これを記録した記録媒体がどの種類かを判断することによって、正規購入者のみを選択して、特定のサービス情報を提供できる。
【００９４】
図９の例は識別情報用の管理テーブルを利用して管理用サーバ３０側で受信した識別情報の判別処理を実行したが、管理テーブルの情報を情報端末装置２０側で受信し、管理用サーバ３０側に識別情報ＵＩＤを送信する前処理として、識別情報の判別処理を行ってもよい。
【００９５】
図１３はその実施の形態であって、管理用サーバ３０にアクセスしてユーザ認証用として管理テーブルに登録された識別情報（ＵＩＤリスト）の送信要求を行う（ステップ１０１，１０２）。そしてＵＩＤリストを受信したときには、このＵＩＤリストを一旦メモリ手段６３に保存する（ステップ１０３，１０４）。そして、このＵＩＤリストを参照してこれから送信使用とする識別情報ＵＩＤとの認証処理を行う（ステップ１０５）。
【００９６】
認証処理は基本的には、図９および図１０あるいは図１２に示す不正ＵＩＤの判別処理と類似する処理を行って、これから送信使用とする識別情報ＵＩＤが、正規購入者のものか、不正コピーなどで取得したものかを判断する。識別情報ＵＩＤを読み出した記録媒体が記録可能なデータ記録媒体かどうかの判断をプログラムメモリエリアＰＭＡの有無で判断する処理も同じように行われる。したがってこの場合には管理用サーバ３０を介すことなく、情報端末装置２０側だけでその判断処理が実行されることになる。
【００９７】
読み出した識別情報ＵＩＤが正規購入者のものであるときには、管理用サーバ３０側に所定のサービス情報の提供を要求し（ステップ１０６，１０７）、不正な識別情報ＵＩＤであると判断されたときには、管理用サーバ３０側にメッセージ送信要求を行って待機状態となる（ステップ１０６，１０８）。メッセージを受信すると、その内容が表示される（ステップ１０９，１１０）。メッセージ内容は上述した例と同じである。メッセージは例えば情報端末装置２０のメモリ手段６３などに予め用意しておくこともできる。
【００９８】
このようにすれば、情報端末装置２０側でも簡単に識別情報が真正なものかどうかの判断を行うことができるので、その分管理用サーバ３０側の負担を軽減できる。
【００９９】
さて、上述した実施の形態では、管理用サーバ３０側に用意されたデータベース３３には記録済み記録媒体に記録された固有の識別情報ＵＩＤａが登録され、この識別情報ＵＩＤａを利用して送信した、あるいは送信しようとする識別情報を判別する処理例を説明した。識別情報以外の情報をも利用すれば識別情報の判別をより正確に行うことができる。
【０１００】
識別情報の他に使用する情報としては、情報端末装置２０から管理用サーバ３０をアクセスするときに使用するネットワークアドレス（ＩＰアドレス）、前回からのアクセス時間間隔およびユーザ固有の識別情報などが考えられ、これら情報の何れか、または２つ以上の任意の情報を組み合わせて使用する。図１４に示す実施の形態は上述した情報の全てを利用して識別情報の真偽を判断するようにした場合である。
【０１０１】
まず、データ記録媒体から読み出した識別情報ＵＩＤを受信する（ステップ１２１）。次に管理用データベース３３を参照して同一の識別情報が存在するかどうかを調べる（ステップ１２２）。同じ識別情報がないときは、この識別情報をデータベース３３に登録する（ステップ１２３）。
【０１０２】
同一の識別情報ＵＩＤが存在しないときは、管理用サーバ３０に対する最初のアクセスと見なし、かつ最初のアクセスはデータ記録媒体の正規購入者からのアクセスであるものと見なして、サービスの提供処理を行う（ステップ１２４）。これは、例えば不正コピーを行った者が正規購入者よりも早く管理用サーバ３０側にアクセスするとは通常の場合考えられないからである。
【０１０３】
ステップ１２２において、参照の結果同一の識別情報ＵＩＤが既に存在するときには、次に情報端末装置２０側で使用したネットワークアドレスを調べる（ステップ１２５）。ネットワークアドレスは情報端末装置２０を構成するコンピュータに与えられた固有のアドレスである。ネットワークアドレスが存在しないときは、その識別情報ＵＩＤを使用したアクセスが最初であるものと判断して、そのネットワークアドレスを上述した識別情報ＵＩＤに関連させてデータベース３３に登録すると共に、用意された、あるいは選択されたサービスの提供を行う（ステップ１２３，１２４）。
【０１０４】
識別情報ＵＩＤは同じであるが、ネットワークアドレスが相違するときには、前回からのアクセス時間間隔を判断する（ステップ１２６）。データ記録媒体の正規購入者は続けて同じＷｅｂサイトにアクセスして情報の入手を行うことは通常考えられない。これに対して不正コピー者などはできるだけ早めにサービス情報を入手したいと考えられるので、そのアクセスタイミングが妥当な程度離れているかを判断する。そのアクセス時間間隔を日数Ｎで判断するときは、その日数Ｎを予め設定しておく。例えば、４〜５日あるいはそれ以上の日数を定める。
【０１０５】
アクセス時間間隔がＮ日以上経過していれば、正規購入者からのアクセスと判断して所定のサービス情報を提供する（ステップ１２６，１２４）。これは正規購入者は常に同じパーソナルコンピュータを使用してアクセスするとは限らず、データ記録媒体のみ携帯して別の情報端末装置を用いて管理用サーバ３０にアクセスすると考えられるからである。Ｎ日以下でアクセスがあったときには、今度はユーザ固有の識別情報（ユーザＩＤ）を判断する（ステップ１２７）。
【０１０６】
ユーザＩＤがデータベース３３に登録されていないときには、ネットワークアドレスと同じようにデータベース３３にその識別情報ＵＩＤに関連させて登録されると共に、サービスの提供が行われる（ステップ１２８，１２４）。これは、上述したように別の情報端末装置を使用して管理用サーバ３０をアクセスする場合でも、まだユーザＩＤを登録していない場合が考えられるからである。
【０１０７】
ユーザＩＤがデータベース３３に登録されているときには、今度はそのユーザＩＤが同じ識別情報ＵＩＤ欄に登録されているかを調べ（ステップ１２９）、同じ識別情報ＵＩＤ欄に登録されているときは、正規購入者と見なしてサービスの提供を実施する（ステップ１２９，１２４）。しかし、受信した識別情報ＵＩＤの欄に登録されたユーザＩＤと相違するときには、正規購入者というよりは、不正コピー者のアクセスであると判断すべきであるのでこの場合には警告処理用のメッセージ又はサービス中止用のメッセージを送信して判別処理を終了することになる（ステップ１３０）。
【０１０８】
この図１４に示す判別処理を使用すれば、ステップ１２２、１２５および１２６によって時と場所を変えて正規購入者がアクセスする場合でも正規購入者とみなすことができ、ユーザＩＤによってさらに正規購入者か否かをさらに篩いにかけることができる。その結果、識別情報ＵＩＤａと同じ場合でも、ユーザＩＤを判別することで、海賊版の記録媒体や不正コピーした記録媒体を排除できる。
【０１０９】
なお、記録可能なデータ記録媒体であって、それ自身には媒体固有の識別情報を持たない場合で、このデータ記録媒体にプリプレスされた情報がコピーされたときには、記録可能なデータ記録媒体にはプリプレス側の識別情報がそのままコピーされるものと考えられる。そのような記録可能なデータ記録媒体を読み出した識別情報を利用して管理用サーバ３０側にアクセスされたときは、少なくともそのときのユーザＩＤは正規購入者のものとは一致しないので、このようなデータ記録媒体から識別情報が読み出されたときでも、このデータ記録媒体を不正にコピーされたものとして排除できる。
【０１１０】
さて、記録可能なデータ記録媒体に上述した識別情報ＵＩＤ（ＵＩＤｂ）を記録するにはＰＭＡエリア１８に通常の光源（レーザ光源）を利用して、上述したＴＯＣ情報の一部として記録することができる。そしてコンプリート処理あるいはファイナライズ処理をすることで、リードインエリア１６にＴＯＣ情報として記録することができる。ＴＯＣ情報の一部として記録するＰＭＡエリア１８は、ユーザ自身ではデータを記録できないが再生はできるエリアである。
【０１１１】
また、この発明では図２に示すプレス加工されたデータ記録済みのデータ記録媒体でも、この媒体に上述した識別情報ＵＩＤａを記録して使用することができる。この場合には所望とするデータが書き込まれたディスク原盤に、識別情報ＵＩＤ（ＵＩＤａ）が例えば高出力レーザを使用して記録される。識別情報ＵＩＤａはリードインエリア、リードアウトエリア、プログラムエリアの何れかのエリアに記録される。その記録方法の一例を図１５以下を参照して説明する。
【０１１２】
図１５は識別情報記録装置を含む光ディスク作成システムの一例を示す。この光ディスク作成システムは、光ディスクに記録する情報データの変調信号を生成して送出する変調信号送出装置１４０、変調信号に従って光ディスク原盤３２０を作成する光ディスク原盤記録装置であるレーザービーム・レコーダ６００、半製品の光ディスク３４０を成形する成形装置７００及び半製品の光ディスク３４０に追記を行なう追記装置２００から構成される。追記装置２００は上述した識別情報を記録するための手段である。
【０１１３】
変調信号送出装置１４０は、光ディスクに記録する情報データを読み込んで再生する記録情報再生手段１５０、再生された情報データを所定のフォーマットの変調信号データパターンに変換する変調情報生成手段１６０、変調信号データパターン情報を記憶する変調情報記憶手段１７０及び変調信号を出力する変調信号出力手段１８０から構成される。
【０１１４】
記録情報再生手段１５０は、マスターの光ディスク３１０に記録された所定の情報データを全領域にわたって順次再生し、変調情報生成手段１６０へ送る。マスターの光ディスク３１０は、ＣＤ−Ｒ等のマスターメディア（情報源）であり、光ディスク原盤３２０に記録する所定の情報データが記録されている。所定の情報データは、音楽データ、映像データ、あるいは、プログラム等の任意の情報データである。
【０１１５】
変調情報生成手段１６０は、再生された情報データを予め決められた所定のフォーマットの変調信号データパターンに変換し、生成された変調信号データパターンを変調情報記憶手段１７０に記憶するとともに変調信号出力手段１８０に出力する。変調信号データパターンは、所定のフォーマットにより変換された１／０のビットパターンにより構成される。また、変調時には必要に応じて、追記を行なう領域の指定等の追記に関する追記関連情報４１０を参照する。
【０１１６】
変調情報記憶手段１７０は、変調情報生成手段１６０により生成された変調信号データパターンを記憶する。変調信号出力手段１８０は、変調情報生成手段１６０の生成した変調信号データパターンを入力し、１／０のビットパターンを所定のクロックで出力することにより変調信号を生成し、レーザービーム・レコーダ６００へ出力する。
【０１１７】
レーザービーム・レコーダ６００は、変調信号送出装置１４０から入力する変調信号に基づいてレーザー光を照射して光ディスク原盤３２０にカッティングを施し、情報データを記録する。この光ディスク原盤３２０に基づき、スタンパー３３０が製作される。
【０１１８】
成形装置７００は、このスタンパー３３０を用いて情報データが記録された記録済み光ディスクである半製品の光ディスク３４０を複製する。半製品の光ディスク３４０は、このように情報データは記録済みであるが、追記情報がまだ記録されていない状態の光ディスクを表すとする。
【０１１９】
追記装置２００は、追記関連情報４１０あるいは変調信号データパターンを記憶する変調情報記憶手段２１０、追記の制御を行なう追記制御手段２２０及び追記制御手段２２０に従って半製品の光ディスク３４０に追記を施す追記手段２３０から構成される。
【０１２０】
変調情報記憶手段２１０は、変調信号送出装置１４０の用いた追記関連情報４１０、あるいは変調信号送出装置１４０により生成された変調信号データパターンを記憶する記憶手段である。追記制御手段２２０は、追記関連情報４１０あるいは変調信号データパターンに基づいて、追記情報４２０を記録する領域を算出するとともに、この領域に目盛り手段に記憶された追記情報４２０を追記する制御を行なう。
【０１２１】
追記手段２３０は、高出力のレーザ（図示はしない）を装備し、追記制御手段２２０に従って、半製品の光ディスク３４０に、メモリ手段に格納された光ディスク固有の識別情報である追記情報４２０を高出力レーザを用いて記録し、追記情報４２０が記録された製品の光ディスク３５０を生成する。この光ディスク３５０が上述した識別情報ＵＩＤが記録されたデータ記録媒体１０を指す。
【０１２２】
追記装置２００では、変調情報記憶手段１７０に予め変調信号送出装置１４０の用いた追記関連情報４１０、あるいは変調信号データパターンが記憶されている。追記制御手段２２０は、追記関連情報４１０あるいは変調信号データパターンに基づいて、追記情報４２０を記録する領域を算出し、この領域に追記情報４２０を追記するように追記手段２３０を制御する。追記手段２３０は、追記制御手段２２０に従って、追記情報４２０を半製品の光ディスク３４０に記録し、製品の光ディスク３５０を製作する。
【０１２３】
追記情報記録手法としては、変調信号送出装置において情報データの変調時に変調信号の任意の区間に無変調区間を設けた変調信号を生成して半製品の光ディスクを製作し、追記装置において無変調区間に追記情報を記録して製品の光ディスクを製作する方法がある。
【０１２４】
図１６にその一例を示す。変調信号送出装置１４０では、変調信号データパターン（以下、ＥＦＭデータパターンとする）に挿入する無変調区間に関する情報を追記関連情報４１０より取得する。ＥＦＭデータパターンのどこに無変調区間を挿入するか、あるいは、無変調区間をいくつ挿入するかということは任意であり、特定はされない。ただし、無変調区間が挿入された半製品の光ディスク３４０がトラッキングサーボできる程度、すなわち連続した無変調区間がトラッキングサーボの帯域以下となるように設定する。このトラッキングの方法は、特に限定されない。図１５の例では、サブコーディング部を無変調区間としている。無変調区間は、同期パターンを除くサブコーディング部、情報データが挿入されるデータ部の任意の箇所に設けることができる。また、ある一定間隔、あるいはランダムな間隔で無変調区間を複数設けるとしてもよい。
【０１２５】
変調情報生成手段１６０は、このような追記関連情報４１０に従って、ＥＦＭデータパターンの一部に無変調区間を設けた変調信号（以下、ＥＦＭ信号とする）を生成し、レーザービーム・レコーダ６００へ出力する。レーザービーム・レコーダ６００へ出力するＥＦＭ信号、すなわち、光ディスク原盤３２０に記録されるＥＦＭ信号の波形は、サブコーディング部の信号レベルが０となる。これに応じて製作される半製品の光ディスク３４０は、無変調区間であるサブコーディング部にピットが存在しない。
【０１２６】
追記装置２００では、追記関連情報４１０を取得して変調情報記憶手段２１０に記憶しておく。追記制御手段２２０は、追記情報４２０にＥＦＭ変調を施し、そのＥＦＭ信号がサブコーディング部に相当する区間に記録されるように、高出力のレーザーを発する追記手段２３０を制御して、サブコーディング部にピットを形成する。図１６の斜線で表されたピットが追記情報により形成されたピットである。追記装置２００により追記が行なわれた製品の光ディスク３５０は、サブコーディング部に相当する区間に追記情報４２０の変調信号が記録されている。
【０１２７】
このようにして、情報データの変調信号が記録された半製品の光ディスクに、同一の変調方式で変調された追記情報を記録する。追記情報としてディスク１枚ごとに異なったデータを記録することにより、光ディスクの個別情報として読み出すことが可能となる。また、追記が行なわれた製品の光ディスクは、従来のＥＦＭ変調に対応する再生機において、情報データの変調信号とともに追記情報の変調信号を再生することができる。このように、個別識別情報読み出しのための特殊な回路を再生機に設ける必要なく、個別識別情報を再生することができる。
【０１２８】
記録済みのデータ記録媒体に対して識別情報などの追記情報を記録する手法としては、上述した例の他に、変調信号送出装置において情報データを変調したＥＦＭ信号を生成して半製品の光ディスクを製作し、追記装置において変調信号送出装置が生成したＥＦＭデータパターンを参照して任意の区間に追記情報を記録して製品の光ディスクを製作する方法などが考えられるが、その詳細な説明は割愛する。
【０１２９】
【発明の効果】
以上説明したように、この発明に係る識別情報の判別方法は、データ記録媒体固有の識別情報に基づいて、登録された識別情報と照合することで、受信した識別情報の真偽を判別するようにしたものである。
【０１３０】
これによれば、例えばこの識別情報を特別なサービス情報を取得するための識別子としても利用する場合には、データ記録媒体を正規に購入した者のみにこの特別なサービス情報を提供できる実益を有する。
【０１３１】
またこの発明に係る情報サービス方法および情報サービスシステムは、識別情報を有する情報端末装置と管理用サーバとを通信回線網で結ぶことで、識別情報を用いた情報の授受を可能にしたものである。これによれば、識別情報を用いて正規ユーザの志望するサービスや、特定のサービス情報の提供をスムーズに実現できる特徴を有する。この場合、識別情報はデータ記録媒体に記録された識別情報であり、その管理は管理用サーバ側で行われるときには、データ記録媒体を再生したりする情報端末装置には依存しないでサービスの管理を実現できる。
【０１３２】
このようにこの発明によれば、特定のサービス情報を提供したりするサービス管理などをデータ記録媒体に記録された複数の識別情報のみで実現できる特徴を有する。
【図面の簡単な説明】
【図１】この発明に係る書き込み可能なデータ記録媒体の実施の形態を示す概念図である。
【図２】この発明に係る記録済みのデータ記録媒体の実施の形態を示す概念図である。
【図３】この発明に係るデータ記録媒体に記録される識別情報を示す構成図である。
【図４】この発明に係る情報サービスシステムの実施の形態を示す概念図である。
【図５】この発明に係る情報端末装置の実施の形態を示す要部の系統図である。
【図６】この発明に係る管理用サーバの実施の形態を示す要部の系統図である。
【図７】この発明に係る識別情報再生装置の他の実施の形態を示す要部の系統図である。
【図８】情報端末装置と管理用サーバとのデータ処理例を示すフローチャートである。
【図９】管理用サーバ側の処理例を示すフローチャートである。
【図１０】不正な識別情報を判別するための処理例を示すフローチャートである（その１）。
【図１１】プログラムメモリエリアを確認するための処理例を示すフローチャートである。
【図１２】不正な識別情報を判別するための処理例を示すフローチャートである（その２）。
【図１３】情報端末装置側の処理例を示すフローチャートである。
【図１４】管理用サーバ側の他の処理例を示すフローチャートである。
【図１５】記録済みデータ記録媒体に識別情報を記録するときの識別情報記録装置の実施の形態を示す系統図である。
【図１６】その動作説明に供する説明図である。
【符号の説明】
１０・・・光ディスク（データ記録媒体）、１４・・・プログラムエリア（主記録領域）、１６・・・リードインエリア、１８・・・プログラムメモリエリア（補助記録領域）、２０・・・情報端末装置、３０・・・管理用サーバ、４０・・・通信回路網、２４、３４・・・・送受信部、２５・・・表示部、５０・・・識別情報端末装置、３２・・・・サービスコンテンツデータベース、３３・・・管理用データベース、６０・・・・ＴＯＣ情報抽出手段、６２・・・識別情報抽出手段
【図１】
2004110081.tif 000003
【図２】
2004110081.tif 000004
【図３】
2004110081.tif 000005
【図４】
2004110081.tif 000006
【図５】
2004110081.tif 000007
【図６】
2004110081.tif 000008
【図７】
2004110081.tif 000009
【図８】
2004110081.tif 000010
【図９】
2004110081.tif 000011
【図１０】
2004110081.tif 000012
【図１１】
2004110081.tif 000013
【図１２】
2004110081.tif 000014
【図１３】
2004110081.tif 000015
【図１４】
2004110081.tif 000016
【図１５】
2004110081.tif 000017
【図１６】
2004110081.tif 000018